(57)【要約】      （修正有）【課題】容易な工事によってアンカーウェイトブロック壁からなる擁壁と、斜面外側に間隔をおいて配置される支柱に構築された化粧用擁壁とを備えた構成の二重擁壁を施工する。【解決手段】間隔をおいて配置された複数本の角柱部１０と、角柱部１０の配列方向に平行して設けられ土圧を受けるアンカーウェイトブロック擁壁３と、角柱部１０の夫々に設けられ角柱部１０の配列方向と略直交する方向の擁壁用ＰＣ板２のブラケット面８に連結されるタイバー６を有し、化粧用擁壁１は長方形型の擁壁用ＰＣ板２からなり、擁壁用ＰＣ板２は中央裏面に角柱部１０が構成する角柱を挿入できる挿入穴１１、及び挿入穴１１の外周部にはタイバー６の固着用ブラケット面８を設け、擁壁用ＰＣ板２の表面は左右両方向に等しく展開する平板形状に構成され、擁壁用ＰＣ板２は角柱部１０に挿入されて積層されることで化粧用擁壁１を構築する。【選択図】図１
2011236722.tif 000002
【特許請求の範囲】
【請求項１】
間隔をおいて配置された複数本の支柱と、該支柱の配列方向に平行して設けられ土圧を受けるアンカーウェイトブロック擁壁と、前記支柱のそれぞれに設けられ該支柱の配列方向と略直交する方向の一方側に延在して化粧用擁壁のブラケット面に連結されるタイバーを有し、前記化粧用擁壁を構成する夫々の擁壁パネルは長方形型の擁壁ＰＣ板からなり、該擁壁ＰＣ板は中央裏面に支柱が構成する角柱を挿入できる挿入穴、及び該挿入穴の外周部にはブラケット状に突設された形状からなる前記タイバー固着面を設けており、該擁壁ＰＣ板の表面は前記角柱の挿入穴を中心に左右両方向に等しく展開する平板形状に構成され、該擁壁ＰＣ板は前記支柱が構成する角柱部に挿入されて積層されることで化粧用擁壁を構築することを特徴とする二重擁壁。
【請求項２】
アンカーウェイトブロック擁壁を構成するアンカーウェイトブロックは傾斜のついた壁面、及び前記タイバーとの連結部の一部を構成する突起部からなりその断面は略Ｔ字状のＰＣブロック形状を有しており、前記タイバーはアンカーウェイトブロックの突起部と前記擁壁ＰＣ板の間を他のＰＣブロック、または鉄筋コンクリートにより強固に連結されながら積み上げられてアンカーウェイトブロック擁壁を構成していることを特徴とする請求項１に記載された二重擁壁
【請求項３】
前記化粧用擁壁を構成する擁壁ＰＣ板の表面にはＰＣ板製造時に凹凸模様や凹部切り込み目地で布積み模様、煉瓦積み模様、そして矢羽積み模様を構成し、該擁壁ＰＣ板が積層された際に全体が連続模様となるように構成していることを特徴とする請求項１または請求項２に記載された二重擁壁。
【請求項４】
前記タイバーを介して連結されている化粧用擁壁と、該化粧用擁壁の山側における安定地盤に設けられたアンカーウェイトブロック擁壁との間に少なくとも一部が前記化粧用擁壁より谷側に張り出した床板部を載架していることを特徴とした請求項１乃至請求項３のいずれかに記載された二重擁壁。
【請求項５】
前記床板部と化粧用擁壁またはアンカーウェイトブロック擁壁とは別体で構成されるか、前記擁壁に固着されて一体的に構成されていることを特徴とする請求項１乃至請求項４のいずれかに記載された二重擁壁。
【請求項６】
間隔をおいて配置された複数本の支柱と、該支柱の配列方向に平行して設けられ土圧を受けるアンカーウェイトブロック擁壁と、前記支柱のそれぞれに設けられ該支柱の配列方向と略直交する方向の一方側に延在して化粧用擁壁のブラケット面に連結されるタイバーを有し、前記化粧用擁壁を構成する夫々の擁壁パネルは長方形型の擁壁ＰＣ板からなり、該擁壁ＰＣ板は中央裏面に支柱が構成する角柱を挿入できる挿入穴、及び該挿入穴の外周部にはブラケット状に突設された形状からなる前記タイバー固着面を設けており、該擁壁ＰＣ板の表面は前記角柱の挿入穴を中心に左右両方向に等しく展開する平板形状に構成され、該擁壁ＰＣ板は前記支柱が構成する角柱部に挿入されて積層されることで化粧用擁壁を構築することを特徴とする二重擁壁の施工方法。
【発明の詳細な説明】
【技術分野】
【０００１】  本発明は、斜面に沿って設けられるアンカーウェイトブロック壁からなる擁壁と、斜面外側に間隔をおいて配置される支柱に構築された化粧用擁壁を備えた二重擁壁、及びその擁壁の施工方法に関するものである。
【背景技術】
【０００２】  例えば、山間部や海岸部などの傾斜地では、斜面に擁壁を構築するともに道路や建造物を構築し、斜面に柱を建設する場合も多い、もちろん、人工的に盛り土をして地盤を高くする場合も同様である。このように斜面に柱を建設する場合、斜面の山側から谷側へ土圧がかかるため、柱は谷側に倒壊する危険性がある。【０００３】  従って、従来は、このような山側からかかる土圧に耐えうるだけの堅牢な柱を並列して構築する必要があった。また、擁壁は柱とは別に建設しており、夫々の建設のために大がかりな工事が必要となっていた。【０００４】  また、周知技術として柱を擁壁の一部として利用するものもある。例えば柱間に壁を設けた直立型の擁壁がある。この場合、壁にかかる土圧も柱の自立力のみで受けることになるため、更には柱を堅牢に構築しなければならず、通常は比較的小規模な擁壁にしか利用されていない。【０００５】  而して、土圧に対する抗力を増すために、山側の地中に穴を穿設してアンカーを設置し、アンカーと壁、或いは柱とを鋼線で結ぶ工法なども用いられている。しかし、鋼線は腐食するので、老朽化した擁壁では依然として倒壊の危険性があった。
【発明の開示】
【発明が解決しようとする課題】
【０００６】  本発明は、上述した事情に鑑みてなされたもので、容易な工事によってアンカーウェイトブロック壁からなる擁壁と、斜面外側に間隔をおいて配置される支柱に構築された化粧用擁壁とを備えた構成の二重擁壁を施工するもので、柱の倒壊を効果的に防止することが出来る新しい擁壁を提供するものである。【０００７】  また、本発明は、柱の崩壊を効果的に防止できることから、アンカーウェイトブロック擁壁や、化粧用擁壁のサイズは、幅２００ｃｍ、高さ１００ｃｍ程度の比較的小型サイズのものを使用可能であり、この改良された擁壁のパネルサイズやタイバーなどの部材は、狭隘な場所でも小型重機を用いて施工出来る最良の構成を提供するものである。【０００８】  そして、本発明に使用される前記化粧用擁壁は、柱とアンカーウェイトブロック擁壁とをタイバーを介して堅固に連結する役目をはたす他、前記アンカーウェイトブロック擁壁や、タイバーなどの土木構造物を覆って良好な景観を作り出すこと可能である。【０００９】  更に、本発明は、擁壁上部に敷設する床板部が、前記二重擁壁部とは別体で構成されていることや、二重擁壁部と床板部は、一体的に構成されていることで、谷側に大きく張り出して設置可能な通路を比較的短期間で容易にしかも安価に建設することが出来るもので、例えば既存の道路脇に設置する場合でも、道路の交通をそれほど阻害することなく、交通事情に合わせて計画的に施工することが出来るという効果を有しているものである。
【課題を解決しようとするための手段】
【００１０】  本発明の特徴は、二重擁壁を構成するにあたり、間隔をおいて配置された複数本の支柱と、該支柱の配列方向に平行して設けられ土圧を受けるアンカーウェイトブロック擁壁と、前記支柱のそれぞれに設けられ該支柱の配列方向と略直交する方向の一方側に延在して化粧用擁壁のブラケット面に連結されるタイバーを有し、前記化粧用擁壁を構成する夫々の擁壁パネルは長方形型の擁壁ＰＣ板からなり、該擁壁ＰＣ板は中央裏面に支柱が構成する角柱を挿入できる挿入穴、及び該挿入穴の外周部にはブラケット状に突設された形状からなる前記タイバー固着面を設けており、該擁壁ＰＣ板の表面は前記角柱の挿入穴を中心に左右両方向に等しく展開する平板形状に構成され、該擁壁ＰＣ板は前記支柱が構成する角柱部に挿入されて積層されることで化粧用擁壁を構築するものである。
【００１１】  上記構成により本発明は、支柱が連結部によってアンカーウェイトブロック擁壁に連結されており、例えばアンカーウェイトブロック擁壁を支柱の山側に設けることによって支柱は擁壁部及び連結部が重なりあって土圧に対する抗力を増すことができる。従ってアンカーウェイトブロック擁壁は斜面を覆って土圧を受けるとともに支柱を山側に引っ張るように作用し、支柱の倒壊は効果的に防止される。
【００１２】  また、本発明においては、アンカーウェイトブロック擁壁を構成するアンカーウェイトブロックは傾斜のついた壁面、及び前記タイバーとの連結部の一部を構成する突起部からなりその断面は略Ｔ字状のＰＣブロック形状を有しており、前記タイバーはアンカーウェイトブロックの突起部と前記擁壁ＰＣ板の間を他のＰＣブロック、または鉄筋コンクリートにより強固に連結されながら積み上げられてアンカーウェイトブロック擁壁を構成している。
【００１３】  従って、本発明は、柱の崩壊を効果的に防止可能で、アンカーウェイトブロック擁壁や、化粧用擁壁のサイズは、幅２００ｃｍ、高さ１００ｃｍ程度の比較的小型サイズのものを使用可能であり、この改良された擁壁のパネルサイズやタイバーなどの部材は、狭隘な場所でも小型重機を用いて施工出来る最良の構成を提供するものである。
【００１４】  本発明は、前記化粧用擁壁を構成する擁壁ＰＣ板の表面にはＰＣ板製造時に凹凸模様や凹部切り込み目地で布積み模様、煉瓦積み模様、そして矢羽積み模様を構成し、該擁壁ＰＣ板が積層された際に全体が連続模様となるように構成している。
【００１５】  このために、本発明に使用される前記化粧用擁壁は、柱とアンカーウェイトブロック擁壁とをタイバーを介して堅固に連結する役目をはたす他、前記アンカーウェイトブロック擁壁や、タイバーなどの土木構造物を覆って良好な景観を作り出すこと可能である。
【００１６】  更に、本発明は、タイバーを介して連結されている化粧用擁壁と、該化粧用擁壁の山側における安定地盤に設けられたアンカーウェイトブロック擁壁との間に少なくとも一部が前記化粧用擁壁より谷側に張り出した床板部を載架していることを特徴とした。そして、前記床板部と化粧用擁壁またはアンカーウェイトブロック擁壁とは別体で構成されるか、前記擁壁に固着されて一体的に可能に構成した。
【００１７】  従って、本発明では、擁壁上部に敷設する床板部が、前記二重擁壁部とは別体で構成されていることや、二重擁壁部と床板部は、一体的に構成されていることで、谷側に大きく張り出して設置可能な通路を比較的短期間で容易にしかも安価に建設することが出来るもので、例えば既存の道路脇に設置する場合でも、道路の交通をそれほど阻害することなく、交通事情に合わせて計画的に施工することが出来るという効果を有している。
【発明の効果】
【００１８】  斯くして、本発明は、容易な工事によってアンカーウェイトブロック壁からなる擁壁と、斜面外側に間隔をおいて配置される支柱に構築された化粧用擁壁とを備えた構成の二重擁壁を施工するもので、支柱の倒壊を効果的に防止することが出来る新しい擁壁を提供することが可能である。
【００１９】  また、本発明は、支柱の崩壊を効果的に防止できることから、アンカーウェイトブロック擁壁や、化粧用擁壁のサイズは、幅２００ｃｍ、高さ１００ｃｍ程度の比較的小型サイズのものを使用可能であり、この改良された擁壁のパネルサイズやタイバーなどの部材は、狭隘な場所でも小型重機を用いて施工出来る最良の構成を提供するものである。
【００２０】  そして、本発明に使用される前記化粧用擁壁は、柱とアンカーウェイトブロック擁壁とをタイバーを介して堅固に連結する役目をはたす他、前記アンカーウェイトブロック擁壁や、タイバーなどの土木構造物を覆って良好な景観を作り出すこと可能である。
【００２１】  更に、本発明は、擁壁上部に敷設する床板部が、前記二重擁壁部とは別体で構成されていることや、二重擁壁部と床板部は、一体的に構成されていることで、谷側に大きく張り出して設置可能な通路を比較的短期間で容易にしかも安価に建設することが出来るもので、例えば既存の道路脇に設置する場合でも、道路の交通をそれほど阻害することなく、交通事情に合わせて計画的に施工することが出来るという効果を有しているものである。
【発明を実施するための最良の形態】
【００２２】  本発明は、二重擁壁を構成するにあたり、間隔をおいて配置された複数本の支柱と、該支柱の配列方向に平行して設けられ土圧を受けるアンカーウェイトブロック擁壁と、前記支柱のそれぞれに設けられ該支柱の配列方向と略直交する方向の一方側に延在して化粧用擁壁のブラケット面に連結されるタイバーを有し、前記化粧用擁壁を構成する夫々の擁壁パネルは長方形型の擁壁ＰＣ板からなり、該擁壁ＰＣ板は中央裏面に支柱が構成する角柱を挿入できる挿入穴、及び該挿入穴の外周部にはブラケット状に突設された形状からなる前記タイバー固着面を設けており、該擁壁ＰＣ板の表面は前記角柱の挿入穴を中心に左右両方向に等しく展開する平板形状に構成され、該擁壁ＰＣ板は前記支柱が構成する角柱部に挿入されて積層されることで化粧用擁壁を構築するものである。【００２３】  また、本発明においては、アンカーウェイトブロック擁壁を構成するアンカーウェイトブロックは傾斜のついた壁面、及び前記タイバーとの連結部の一部を構成する突起部からなりその断面は略Ｔ字状のＰＣブロック形状を有しており、前記タイバーはアンカーウェイトブロックの突起部と前記擁壁ＰＣ板の間を他のＰＣブロック、または鉄筋コンクリートにより強固に連結されながら積み上げられてアンカーウェイトブロック擁壁を構成している。【００２４】  そして、本発明は、前記化粧用擁壁を構成する擁壁ＰＣ板の表面にはＰＣ板製造時に凹凸模様や凹部切り込み目地で布積み模様、煉瓦積み模様、そして矢羽積み模様を構成し、該擁壁ＰＣ板が積層された際に全体が連続模様となるように構成している。従って、本発明に使用される前記化粧用擁壁は、柱とアンカーウェイトブロック擁壁とをタイバーを介して堅固に連結する役目をはたす他、前記アンカーウェイトブロック擁壁や、タイバーなどの土木構造物を覆って良好な景観を作り出すこと可能である。【００２５】  更に、本発明は、タイバーを介して連結されている化粧用擁壁と、該化粧用擁壁の山側における安定地盤に設けられたアンカーウェイトブロック擁壁との間に少なくとも一部が前記化粧用擁壁より谷側に張り出した床板部を載架していることを特徴とした。そして、
前記床板部と化粧用擁壁またはアンカーウェイトブロック擁壁とは別体で構成されるか、前記擁壁に固着されて一体的に構成可能であり、擁壁上部に敷設する床板部が、前記二重擁壁部とは別体で構成されていることや、二重擁壁部と床板部は、一体的に構成されていることで、谷側に大きく張り出して設置可能な通路を比較的短期間で容易にしかも安価に建設することが出来るもので、例えば既存の道路脇に設置する場合でも、道路の交通をそれほど阻害することなく、交通事情に合わせて計画的に施工することが出来るという効果を有している。
【実施例１】
【００２６】  図１は本発明の実施例１を説明する斜視図、図２は本発明の実施例１を説明する断面図、図３は図２の平面図、図４は実施例１を構成するアンカーウェイトブロックの形状を説明する斜視図である。【００２７】  図１乃至図４において、１は擁壁ＰＣ板２を複数枚積層して構築される化粧用擁壁、３はアンカーウェイトブロック４を複数個積層して斜面５構築されるアンカーウェイトブロック擁壁、６はタイバーで、該タイバー６は前記アンカーウェイトブロック４の突起部７と前記擁壁ＰＣ板２の裏面に形成されるブラケット面８間に嵌着されて化粧用擁壁１とアンカーウェイトブロック擁壁３間を連結するもので、例えば、ＰＣ板または鉄筋コンクリートにて製作されている。【００２８】  また、前記擁壁ＰＣ板２は、親杭９（図２に示す）の上部に形成される角柱部１０（支柱）は擁壁ＰＣ板２の夫々の裏面中央部に設けた挿入穴１１に挿入され、夫々の擁壁ＰＣ板２を積み上げて化粧用擁壁１を構築している。
尚、図１乃至図４において、１２は擁壁を構築するために基礎、１３は親杭の骨材（Ｈ鋼など）である。【００２９】  而して、本発明は、二重擁壁を構成するにあたり、間隔をおいて配置された複数本の角柱部１０（支柱）と、該角柱部１０の配列方向に平行して設けられ土圧を受けるアンカーウェイトブロック擁壁３と、前記角柱部１０（支柱）のそれぞれに設けられ該角柱部の配列方向と略直交する方向の一方側に延在して化粧用擁壁１の擁壁ＰＣ板２のブラケット面８に連結されるタイバー６を有し、前記化粧用擁壁１を構成する夫々の擁壁パネルは長方形型の擁壁ＰＣ板２からなり、該擁壁ＰＣ板２は中央裏面に角柱部１０（支柱）が構成する角柱を挿入できる挿入穴１１、及び該挿入穴１１の外周部にはブラケット状に突設された形状からなる前記タイバーの固着用ブラケット面８を設けており、前記擁壁ＰＣ板２の表面は前記角柱部１０（支柱）の挿入穴１１を中心に左右両方向に等しく展開する平板形状に構成され、該擁壁ＰＣ板２は前記支柱が構成する角柱部１０（支柱）に挿入されて積層されることで化粧用擁壁１を構築するものである。【００３０】  上記構成により本発明は、角柱部１０（支柱）が連結部によってアンカーウェイトブロック擁壁３に連結されており、例えばアンカーウェイトブロック擁壁３を支柱の山側に設けることによって、支柱は化粧用擁壁１とアンカーウェイトブロック擁壁３の擁壁部及びタイバー６による連結部が重なりあって土圧に対する抗力を増すことができる。従ってアンカーウェイトブロック擁壁３は斜面を覆って土圧を受けるとともに角柱部１０（支柱）を山側に引っ張るように作用し、角柱部１０の倒壊は効果的に防止される。【００３１】  また、本発明においては、アンカーウェイトブロック擁壁３を構成するアンカーウェイトブロック４は、図４に示す如く傾斜のついた壁面、及び前記タイバー６との連結部の一部を構成する突起部７からなりその断面は略Ｔ字状のＰＣブロック形状を有しており、前記タイバー６はアンカーウェイトブロック４の突起部７と前記擁壁ＰＣ板２の間を他のＰＣブロック、または鉄筋コンクリートにより強固に連結されながら積み上げられてアンカーウェイトブロック擁壁３を構成している。【００３２】  従って、本発明は、柱、即ち、角柱部１０の崩壊を効果的に防止可能で、アンカーウェイトブロック擁壁３や、化粧用擁壁１の単体パネルサイズは、幅２００ｃｍ、高さ１００ｃｍ程度の比較的小型サイズのものを使用可能であり、この改良された擁壁のパネルサイズやタイバー６などの部材は、狭隘な場所でも小型重機を用いて施工出来る最良の構成を提供するものである。
【実施例２】
【００３３】  図５は、化粧用擁壁を構成する擁壁ＰＣ板の形状を示す平面図、図６は同じく擁壁ＰＣ板の正面図、図７は前記擁壁ＰＣ板の表面模様の一例を示す説明図、図８は図７の擁壁ＰＣ板が積層構築された状態を示す説明図である。【００３４】  図５乃至８において、２は擁壁ＰＣ板、１１は擁壁ＰＣ板２の中央裏面に構成される角柱部１０（支柱）の挿着穴、８はタイバー固着用のブラケット面、１４はＰＣ製作時に使用される製作用デーハ、１５は施工時に使用される施工用デーハ、１６はＰＣ版施工時に他の擁壁ＰＣ板との嵌合に使用されるガイドピン、１７は水抜き穴を構成する切り欠き部である。そして、図７及び図８に示す擁壁ＰＣ板２の表面には、凸状、または凹状の目地１８が設けられており、該目地１８により擁壁ＰＣ板２の表面には任意形状の模様が形成されている。【００３５】  而して、図５及び図６に示す長方形型の擁壁ＰＣ板２は中央裏面に親杭９の上部が構成する角柱部１０を挿入できる挿着穴１１を有し、該挿着穴１１の外周部にはブラケット状に突設された形状で一部にタイバー固着面用のブラケット面８を形成可能であり、該擁壁ＰＣ板２の表面は前記角柱部１０の挿着穴１１を中心に左右両方向に等しく展開する平板形状を有しており、該擁壁ＰＣ板２は打設された親杭９の上部に形成された角柱部１０に挿入して図８の如く積層され化粧用擁壁１を構成できる。【００３６】  そして、図７に示す擁壁ＰＣ板２は図８に示すように積層、構築されて意匠性の高い化粧用擁壁１を構成する。
尚、上記凹部目地１８による文様は、任意に構成することが可能で、ＰＣ板製作時に凹凸模様や凹部切り込み目地で他に、煉瓦積み模様、矢羽積み模様等を構成し、該擁壁ＰＣ板２が積層された際に全体が連続模様となるよう構成された擁壁パネルを提供するものである。
【実施例３】
【００３７】  図９は本発明の実施例３を説明するもので、図９は二重擁壁の上部に張り出した床板部１９を設置した状態を説明する断面図を示している。【００３８】  図９において、１は擁壁ＰＣ板２を複数枚積層して構築される化粧用擁壁、３はアンカーウェイトブロック４を複数個積層して斜面５構築されるアンカーウェイトブロック擁壁、６はタイバーで、該タイバー６は前記アンカーウェイトブロック４の突起部７と前記擁壁ＰＣ板２の裏面に形成されるブラケット面８間に嵌着されて化粧用擁壁１とアンカーウェイトブロック擁壁３間を連結するもので、例えば、ＰＣ板または鉄筋コンクリートにて製作されている。【００３９】  また、前記擁壁ＰＣ板２は、親杭９の上部に形成される角柱部１０（支柱）は擁壁ＰＣ板２の夫々の裏面中央部に設けた挿入穴１１に挿入され、夫々の擁壁ＰＣ板２を積み上げて化粧用擁壁１を構築され、前記化粧用擁壁１、タイバー６、アンカーウェイトブロック擁壁３上には、ＰＣ板または鉄筋コンクリート等にて製作された床板部１９が載置されて道路２０が設けられている。【００４０】  而して、実施例３のように、本発明は、タイバー６を介して連結されている化粧用擁壁１と、該化粧用擁壁１の山側における安定地盤に設けられたアンカーウェイトブロック擁壁３との間に少なくとも一部が前記化粧用擁壁１より谷側に張り出した床板部１９を載架していることを特徴とした。【００４１】  そして、前記床板部１９と化粧用擁壁１またはアンカーウェイトブロック擁壁３とは別体で構成されるか、前記擁壁に固着されて一体的に構成しており、擁壁上部に敷設する床板部が、前記二重擁壁部とは別体で構成されていることや、二重擁壁部と床板部は、一体的に構成可能であり、谷側に大きく張り出して設置可能な通路２０を比較的短期間で容易にしかも安価に建設することが出来るもので、例えば既存の道路脇に設置する場合でも、道路の交通をそれほど阻害することなく、交通事情に合わせて計画的に施工することが出来るという効果を有している。
【産業上の利用可能性】
【００４２】  斯くして、本発明は、容易な工事によってアンカーウェイトブロック壁からなる擁壁と、斜面外側に間隔をおいて配置される支柱に構築された化粧用擁壁とを備えた構成の二重擁壁を施工するもので、支柱の倒壊を効果的に防止することが出来る新しい擁壁を提供することが可能である。【００４３】  また、本発明は、支柱の崩壊を効果的に防止できることから、アンカーウェイトブロック擁壁や、化粧用擁壁のサイズは、幅２００ｃｍ、高さ１００ｃｍ程度の比較的小型サイズのものを使用可能であり、この改良された擁壁のパネルサイズやタイバーなどの部材は、狭隘な場所でも小型重機を用いて施工出来る最良の構成を提供するものである。【００４４】  そして、本発明に使用される前記化粧用擁壁は、柱とアンカーウェイトブロック擁壁とをタイバーを介して堅固に連結する役目をはたす他、前記アンカーウェイトブロック擁壁や、タイバーなどの土木構造物を覆って良好な景観を作り出すこと可能である。【００４５】  更に、本発明は、擁壁上部に敷設する床板部が、前記二重擁壁部とは別体で構成されていることや、二重擁壁部と床板部は、一体的に構成されていることで、谷側に大きく張り出して設置可能な通路を比較的短期間で容易にしかも安価に建設することが出来るもので、例えば既存の道路脇に設置する場合でも、道路の交通をそれほど阻害することなく、交通事情に合わせて計画的に施工することが出来るという多大な効果を有しているもので土木、或いは建築分野での幅広い利用が期待できる。
【図面の簡単な説明】
【００４６】
【図１】本発明の実施例１を説明する斜視図である。
【図２】本発明の実施例１を説明する断面図である。
【図３】本発明の実施例１を説明する平面図である。
【図４】本発明の実施例１においてアンカーウェイトブロックを説明する斜視図である。
【図５】本発明の実施例２を説明する擁壁ＰＣ板の単体正面図である。
【図６】本発明の実施例２を説明する擁壁ＰＣ板の単体正面図である。
【図７】本発明の実施例２を説明する平面図である。
【図８】本発明の実施例２を説明する化粧用擁壁の平面図である。
【図９】本発明の実施例３を説明する断面図である。
【符号の説明】
【００４７】  １  化粧用擁壁
２  擁壁用ＰＣ板
３  アンカーウェイトブロック擁壁
４  アンカーウェイトブロック
５  斜面
６  タイバー
７  突起部
８  ブラケット面
９  親杭
１０  角柱部
１１  挿入穴
１２  基礎
１３  親杭の骨材
１４  製作用デーハ
１５  施工用デーハ
１６  ガイドピン
１７  切り欠き部
１８  目地
１９  床板部
２０  道路
【図１】
2011236722.tif 000003
【図２】
2011236722.tif 000004
【図３】
2011236722.tif 000005
【図４】
2011236722.tif 000006
【図５】
2011236722.tif 000007
【図６】
2011236722.tif 000008
【図７】
2011236722.tif 000009
【図８】
2011236722.tif 000010
【図９】
2011236722.tif 000011